(57)【要約】【課題】  簡単な操作によりドロップケーブルの保護層を軸線に沿って引き裂くことのできる全く新しい構成の引き裂き工具を提供する。【解決手段】  左右一対の固定刃７，９を上記切り込み方向の位置を固定して、かつ該両固定刃７，９が当接する切り込み時位置と所定角度に開く引き裂き時位置との間で開閉可能に設け、左右一対の可動刃８，１０を上記切り込み方向に上記固定刃７，９との間隔が規制値となるよう進退可能に、かつ該両可動刃８，１０が当接する切り込み時位置と所定角度に開く引き裂き時位置との間で開閉可能に設け、上記ドロップケーブル３０を上記固定刃７，９上に配置して上記左右のハンドル２，３を揺動させるに伴ない上記可動刃８，１０と固定刃７，９とが上記規制値となるまで上記保護層３７ａに切り込み、上記左右のハンドル２，３をさらに揺動させると左右固定刃７，９，左右可動刃８，１０が互いに拡開して上記保護層３７ａを引き裂く。【選択図】    図１
2005181704.tif 000002
【特許請求の範囲】
【請求項１】
芯線の周囲を保護層で被覆してなるドロップケーブルの該保護層を軸線に沿って切り込みを入れて軸直角方向に引き裂くことにより上記芯線を露出させるドロップケーブル用引き裂き工具であって、左右一対のハンドルを揺動可能に連結し、左右一対の固定刃を上記切り込み方向の位置を固定して、かつ該両固定刃が当接する切り込み時位置と所定角度に開く引き裂き時位置との間で上記ハンドルの揺動中心を中心として開閉可能に設け、  左右一対の可動刃を上記切り込み方向に上記固定刃との間隔が規制値となるよう進退可能に、かつ該両可動刃が当接する切り込み時位置と所定角度に開く引き裂き時位置との間で上記ハンドルの揺動中心を中心として開閉可能に設け、上記ドロップケーブルを上記固定刃上に配置して上記左右のハンドルを揺動させるに伴ない上記可動刃と固定刃とが上記規制値となるまで上記保護層に切り込み、上記左右のハンドルをさらに揺動させると左右固定刃，左右可動刃が互いに拡開して上記保護層を引き裂くことを特徴とするドロップケーブル用引き裂き工具。
【請求項２】
請求項１において、上記左右ハンドルと左右可動刃とをリンクを介して連結し、該左右ハンドルを開閉することにより該左右可動刃が固定刃に対して切り込み方向に進退することを特徴とするドロップケーブル用引き裂き工具。
【請求項３】
請求項２において、左右ハンドルと同一揺動中心を有し、かつ該揺動中心を挟んで左右ハンドルの反対側に位置する左右セパレータ本体を設け、該左右セパレータ本体に上記左右固定刃を固定し、該左右セパレータ本体に上記左右可動刃を切り込み方向に案内するとともに該左右可動刃の切り込み位置を規制するガイド部を設け、上記左右ハンドルを閉じるに伴い、上記可動刃と固定刃とが上記規制値となるまで上記保護層に切り込み、上記左右のハンドルをさらに閉じると上記左右セパレータ本体が開いて上記左右の固定刃，可動刃を互いに拡開させ、もって上記保護層を引き裂くことを特徴とするドロップケーブル用引き裂き工具。
【請求項４】
請求項３において、上記左右セパレータ本体の開度を規制するとともに、該左右セパレータ本体を全開状態に保持したままで上記左右ハンドルを所定角度だけ閉じ方向に揺動可能とし、もって可動刃を後退可能とする保持機構を設けたことを特徴とするドロップケーブル用引き裂き工具。
【発明の詳細な説明】
【技術分野】
【０００１】
本発明は、光ファイバ等の芯線を樹脂層等の保護層で被覆してなるドロップケーブルの該保護層を軸線に沿って引き裂くことにより芯線を露出させるようにした引き裂き工具に関する。
【背景技術】
【０００２】
例えば光通信用ドロップケーブルとして、図１５に示すような、テンションメンバ３４を樹脂層３７ａで被覆してなるテンションメンバ部３３ａと、光ファイバ３６及び保護芯３５を樹脂層３７ｂで被覆してなる光ファイバケーブル部３３ｂとを一体化した構造を有するものがある。
【０００３】
この種のドロップケーブル３０において、上記テンションメンバ部３３ａと光ファイバケーブル部３３ｂとを分離する場合は、従来、両者の境界の溝部にナイフを切り込み、該ナイフを溝に沿って移動させることにより分離する方法が採用されている。また光ファイバケーブル部３３ｂにおいて光ファイバ３６を露出させる場合は、従来、サンドペーパで樹脂層３７ｂを光ファイバ３６の直前まで両側から削り、手で引き裂いて光ファイバを露出させているのが現状である。
【０００４】
なお、芯線をビニール等の絶縁材料で被覆した電線の端末の外皮を剥離して芯線を露出させるワイヤストリッパーとしては、従来例えば左右一対のストリッパー本体同士及びハンドル同士を共通の枢支軸で枢着し、一方のストリッパ本体に固定支持部と可動挟持片とを配設し、他方のストリッパ本体に固定下刃と可動上刃とを配設した概略構造のものがある（例えば特許文献１参照）。
【特許文献１】実公昭５８−５２８１１号公報。
【発明の開示】
【発明が解決しようとする課題】
【０００５】
しかし上記従来の手で引き裂く方法は能率が悪く実用的でない。一方、上記公報記載のものはケーブル端部の保護層を輪切りにして剥離除去するものであるから、保護層を軸線に沿って切り込みをいれて軸直角方向に引き裂くといった用途には使用できない。
【０００６】
本発明は上記従来の実情に鑑みてなされたものであり、簡単な操作によりドロップケーブルの保護層を軸線に沿って引き裂くことのできる全く新しい構成の引き裂き工具を提供することを課題としている。
【課題を解決するための手段】
【０００７】
請求項１の発明は、芯線の周囲を保護層で被覆してなるドロップケーブルの該保護層を軸線に沿って切り込みを入れて軸直角方向に引き裂くことにより上記芯線を露出させるドロップケーブル用引き裂き工具であって、左右一対のハンドルを揺動可能に連結し、左右一対の固定刃を上記切り込み方向の位置を固定して、かつ該両固定刃が当接する切り込み時位置と所定角度に開く引き裂き時位置との間で上記ハンドルの揺動中心を中心として開閉可能に設け、左右一対の可動刃を上記切り込み方向に上記固定刃との間隔が規制値となるよう進退可能に、かつ該両可動刃が当接する切り込み時位置と所定角度に開く引き裂き時位置との間で上記ハンドルの揺動中心を中心として開閉可能に設け、上記ドロップケーブルを上記固定刃上に配置して上記左右のハンドルを揺動させるに伴ない上記可動刃と固定刃とが上記規制値となるまで上記保護層に切り込み、上記左右のハンドルをさらに揺動させると左右固定刃，左右可動刃が互いに拡開して上記保護層を引き裂くことを特徴としている。
【０００８】
請求項２の発明は、請求項１において、上記左右ハンドルと左右可動刃とをリンクを介して連結し、該左右ハンドルを開閉することにより該左右可動刃が固定刃に対して切り込み方向に進退することを特徴としている。
【０００９】
請求項３の発明は、請求項２において、左右ハンドルと同一揺動中心を有し、かつ該揺動中心を挟んで左右ハンドルの反対側に位置する左右セパレータ本体を設け、該左右セパレータ本体に上記左右固定刃を固定し、該左右セパレータ本体に上記左右可動刃を切り込み方向に案内するとともに該左右可動刃の切り込み位置を規制するガイド部を設け、上記左右ハンドルを閉じるに伴い、上記可動刃と固定刃とが上記規制値となるまで上記保護層に切り込み、上記左右のハンドルをさらに閉じると上記左右セパレータ本体が開いて上記左右の固定刃，可動刃を互いに拡開させ、もって上記保護層を引き裂くことを特徴としている。
【００１０】
請求項４の発明は、請求項３において、上記左右セパレータ本体の開度を規制するとともに、該左右セパレータ本体を全開状態に保持したままで上記左右ハンドルを所定角度だけ閉じ方向に揺動可能とし、もって可動刃を後退可能とする保持機構を設けたことを特徴としている。
【発明の効果】
【００１１】
請求項１の発明によれば、左右一対の固定刃を切り込み方向に固定して、また左右一対の可動刃を上記切り込み方向に進退可能にそれぞれ設け、さらに該左右の固定刃及び左右の可動刃を切り込み時位置と引き裂き時位置との間で開閉可能に設けたので、ドロップケーブルを上記固定刃上に配置して上記左右のハンドルを揺動させると、まず上記可動刃と固定刃とが上記規制値となるまで上記保護層に切り込み、続いて左右固定刃，左右可動刃が互いに拡開して上記保護層を引き裂くこととなる。
【００１２】
このように簡単な操作により確実にドロップケーブルの保護層を引き裂いて芯線を露出させることができる。
【００１３】
請求項２の発明によれば、上記左右ハンドルと左右可動刃とをリンクを介して連結したので、簡単な構成により左右ハンドルを開閉するだけで左右可動刃を固定刃に対して切り込み方向に進退させることができる。
【００１４】
また請求項３の発明によれば、左右ハンドルと同一揺動中心を有する左右セパレータ本体を設け、これに上記左右固定刃を固定し、左右可動刃を切り込み方向に案内するとともに該左右可動刃の切り込み位置を規制するガイド部を設けたので、上記左右ハンドルを閉じるに伴い、上記可動刃と固定刃とが上記規制値となるまで上記保護層に切り込み、さらに左右の固定刃，可動刃が互いに拡開し、もって上記保護層を引き裂くことができる。
【００１５】
請求項４の発明によれば、左右セパレータ本体を全開状態に保持したままで左右ハンドルを所定角度だけ閉じ方向に戻すことにより可動刃を後退可能とする保持機構を設けたので、上記保護層を引き裂いた後、固定刃，可動刃を保護層から容易確実に外すことができ、ドロップケーブルにおける芯線の露出作業性を確保できる。
【発明を実施するための最良の形態】
【００１６】
以下本発明の実施形態を添付図面に沿って説明する。図１〜図１６は本発明の一実施形態によるドロップケーブルの引き裂き工具（以下、ドロップセパレータと記す）を説明するための図であり、図１，図２はドロップセパレータの正面図，側面図、図３は要部の断面正面図、図４〜図９はセパレータ本体を示す図、図１０〜図１４は動作説明図、図１５は各種ドロップケーブルの断面図、図１６はドロップケーブルの引き裂き状態を示す斜視図である。
【００１７】
各図において、１は本実施形態にかかるドロップセパレータであり、該ドロップセパレータ１は、１本の共通の枢支軸６により左，右に揺動可能に連結された左，右ハンドル２，３及び左，右セパレータ本体４，５と、この左セパレータ本体４に固定支持された左固定刃７及び切り込み方向に進退自在に、かつ該左セパレータ本体４と共に揺動するよう支持された左可動刃８と、右セパレータ本体５に固定支持された右固定刃９及び切り込み方向に進退自在に、かつ該右セパレータ本体５と共に揺動するよう支持された右可動刃１０とを備えている。
【００１８】
上記左，右ハンドル２，３は略Ｌ字形状をなしており、その短辺部２ａ，３ａの先端に形成された連結ボス部２ｃ，３ｃを軸方向に重ね合わせ、これの外側に左，右セパレータ本体４，５の連結ボス部４ｂ，５ｂを軸方向に重ね合わせ、これに上記枢支軸６を挿通し、もって上記２つのハンドルとセパレータ本体とを揺動自在に連結している。なお、上記左，右セパレータ本体４，５は上記枢支軸６を挟んで上記左，右ハンドル２，３の反対側に延びている。
【００１９】
ここで上記左，右ハンドル２，３はリターンスプリング６ａにより開方向に付勢されている。また上記左，右セパレータ本体４，５は比較的大きなばね力を有するリターンばね（図示せず）により閉方向に付勢されている。
【００２０】
さらにまた上記左，右ハンドル２，３の短辺部２ａ，３ａと長辺部２ｂ，３ｂとのコーナ部に形成されたスリット２ｄ，３ｄ内には左，右リンクプレート１１，１２の下端部が挿入され、軸１３により枢支されている。該左，右リンクプレート１１，１２の上端部には略Ｊ字形状をなす上記左，右可動刃８，１０の長片部８ａ，１０ａの下端に鉤状に形成された係止片８ｂ，１０ｂが相対的に回動可能に連結されている。上記左，右可動刃８，１０は、短辺部８ｃ，１０ｃの外面同士を摺接させて１枚の刃の如くなっており、またこれらの切刃８ｄ，１０ｄを下方に向けて配置されている。また上記左，右の可動刃８，１０の長辺部８ａ，１０ａの外面にはガイド板１４，１４が位置している。このガイド板１４，１４は、上記左，右セパレータ本体４，５の支持ボス部４ｆ，５ｆの外側面にボルト締め固定され、上記左，右の可動刃８，１０を切り込み方向に案内する。なお、上記ガイド板１４，１４を上記セパレータ本体４，５に一体形成しても良い。
【００２１】
上記左，右のセパレータ本体４，５は、互いに対向当接する直線状の対向面４ａ，５ａを有し、該対向面４ａ，５ａの下端部に形成されたボス部４ｂ，５ｂが上記左，右のハンドル２，３と共に枢支軸６で枢支されている。また上記対向面４ａ，５ａの途中に上記固定刃７，９をボルト締め固定する固定刃取付部４ｃ，５ｃが固定刃７，９の厚さと同じ深さに凹設されている。さらにまた上記対向面４ａ，５ａにはドロップケーブルが挿入されるガイド凹部４ｄ，５ｄが凹設されている。上記左，右のセパレータ本体４，５を閉位置に揺動させると、上記固定刃取付部４ｃ，５ｃに装着された固定刃７，９が互いに当接して１枚の刃の如くなり、また該固定刃７，９の切刃７ａ，９ａが上記左，右のガイド凹部４ｄ，５ｄで形成されたガイド孔ａ内に下側から僅かに突出するようになっている。
【００２２】
また上記左，右のセパレータ本体４，５には上記可動刃８，１０を切り込み方向にガイドするとともに該可動刃の下限位置を規制するガイド部４ｅ，５ｅが上記固定刃７，９と平行に突設されている。このガイド部４ｅ，５ｅは長円状のものでその長軸を上下に向けて配置されている。
【００２３】
さらにまた上記左，右セパレータ本体４，５間には保持機構１５が設けられている。上記左，右ハンドル２，３を閉じるに伴って左，右可動刃８，１０が切り込み方向に移動した後、左，右セパレータ本体４，５が開くこととなるが、上記保持機構１５は該左，右セパレータ本体の最大開度を規制する。また該保持機構１５は、上記左，右ハンドル２，３を全開位置から所定開度閉じる間は両セパレータ本体４，５を全開状態に保持しつつ上記左，右可動刃８，１０を待機位置に戻し、さらに左，右ハンドル２，３を閉じると左，右セパレータ本体４，５が別に設けたリターンばねにより直ちに閉位置に戻るのを許容するように構成されている。
【００２４】
上記保持機構１５は、具体的には、左，右セパレータ本体４，５に軸支された左，右リンク１５ａ，１５ｂをピン１５ｃで回動自在に連結し、さらに該左，右リンク１５ａ，１５ｂを付勢ばね１５ｄで直線状態に付勢してなる概略構造を有する。
【００２５】
上記付勢ばね１５ｄは上記右ハンドル３のスリット３ｄ内に配置され、ピン１５ｆにより支持されている。該付勢ばね１５ｄの一端は上記右ハンドル３のスリット内面に係止し、他端は上記左リンク１５ａの下面に係止している。このようにして上記付勢ばね１５ｄは上記左，右リンク１５ａ，１５ｂを直線状態に保持するように作用している。
【００２６】
上記右リンク１５ｂの先端部には上記右ハンドル３のコーナ部に形成されたカム部３ｅまで延びるカム足１５ｅが延長形成されている。この右ハンドル３を全閉位置から開き方向に所定値以上揺動させると該カム部３ｅが右リンク１５ｂを反時計回りに回動させ、もって上記左，右リンク１５ａ，１５ｂをＶ字形状に折り畳むようになっている。
【００２７】
ここで上記左，右ハンドル２，３を閉じて上記左，右リンク１５ａ，１５ｂが直線状態となったとき、上記右リンク１５ｂのカム足１５ｅと上記右ハンドル３のカム部３ｅとの間に所定の隙間ｂが形成されるようになっている。これにより後述するように左，右ハンドル２，３を全閉状態から少し開くと上記可動刃８，１０が後述するドロップケーブル３０に切り込んだ位置から後退し、もって該ドロップケーブル３０を本ドロップセパレータ１から容易に外すことができるようになっている。
【００２８】
図１５（ａ）（ｂ）（ｃ）は本ドロップセパレータ１が対象とする光通信用ドロップケーブル３０，３１，３２の例を示す。これらのドロップケーブル３０〜３２は、金属製針金からなるテンションメンバ３４を樹脂層（保護層）３７ａで被覆してなるテンションメンバ部３３ａと、光ファイバ３６及び金属製針金からなる保護芯３５を樹脂層３７ｂで被覆してなる光ファイバケーブル部３３ｂとを一体化したものである。
【００２９】
そして上記テンションメンバ部３３ａと光ファイバケーブル部３３ｂとの境界には両者を切断分離するための分離用溝３８ａが軸線方向に延びるように形成され、また光ファイバケーブル部３３ｂには光ファイバ３６を露出させるために樹脂層３７ｂを引き裂く場合に利用する引き裂き溝３８ｂが軸線方向に延びるように形成されている。
【００３０】
本ドロップセパレータ１を用いて光ファイバ３６を露出させる場合の作業手順を主として図１０〜図１４に沿って説明する。
【００３１】
図１３（ａ），図１４（ａ）に示すように、左，右ハンドル２，３が全開位置にある場合には、左，右セパレータ本体４，５は全閉で、左，右可動刃８，１０は互いに当接した状態で上昇端に位置し、また左，右固定刃７，９は互いに当接した状態でガイド孔ａの下面から僅かに突出した位置となっている。この状態で上記ガイド孔ａ内に上記ドロップケーブル３０を挿入し、光ファイバケーブル部３３ｂのカット溝３８ｂを固定刃７，９上にカット溝３８ｂを一致させる（図１０，図１４（ｂ）参照）。
【００３２】
図１３（ｂ）に示すように、左，右ハンドル２，３を手で把持して閉じていくと、該左，右ハンドル２，３の揺動により軸１３を介して左，右リンクプレート１１，１２が下方に引っ張られ、これに伴って左，右可動刃８，１０がガイド部４ｅ，５ｅに案内されて下降し、図１１，図１４（ｃ）（ｄ）に示すように、可動刃８，１０及び固定刃７，９が上記光ファイバケーブル部３３ｂの樹脂層３７ｂに切り込み、該可動刃，固定刃の間隔が所定値Ａとなったところで上記可動刃８，１０がガイド部４ｅ，５ｅに当たって下降が阻止される。
【００３３】
そして図１３（ｃ）に示すように、上記左，右ハンドル２，３をさらに把持すると、上記可動刃の下降が阻止されていることから今度は左，右セパレータ本体４，５が開き、これに伴って左，右可動刃８，１０及び左，右固定刃７，９が開き、これにより上記樹脂層３７ｂが左，右に大きく引き裂かれ、光ファイバ３６が露出する（図１４（ｅ）参照）。
【００３４】
上記左，右セパレータ本体４，５が開くに伴って、上記保持機構１５においては、左，右リンク１５ａ，１５ｂが直線状をなして上記左，右セパレータ本体本体４，５の開度を規制する。またこのとき右リンク１５ｂのカム足１５ｅと右ハンドル３のカム部３ｅとの間には隙間ｂが形成されている（図１３（ｃ）（ｆ）参照）。
【００３５】
図１３（ｄ）に示すように、例えば左ハンドル２を、上記隙間ｂの範囲内で少し開き側に揺動させ、さらに右ハンドル３を少し開き側に揺動させると、左可動刃８が後退し、続いて右可動刃１０も少し後退する。これにより上記保護層３７ｂへの切り込みが外れ（図１４（ｆ）参照）、該保護層３７ｂの引き裂き開度が小さくなる（図１４（ｇ）参照）。
【００３６】
上記左，右セパレータ本体４，５が開いた状態（図１３（ｄ）参照）でドロップケーブル３０を該ドロップセパレータ１から外し、上記左，右ハンドル２，３をさらに元の状態に開いていくと、上記保持機構１５の右リンク１５ｂのカム足１５ｅが右ハンドル３のカム部３ｅで押され（図１３（ｄ）（ｇ）参照）、該右リンク１５ｂが回動し、両リンク１５ａ，１５ｂが元のＶ字形状に折れ曲がり、左，右セパレータ本体４，５は図示しない復帰ばねの付勢力により全閉状態に戻ることとなる（図１３（ｅ）参照）。
【００３７】
なお、図１２に示すように、本実施形態のドロップセパレータ１を用いて上記ドロップケーブル３０をテンションメンバ部３３ａと光ファイバケーブル部３３ｂとの境界部から切断分離することも勿論可能である。
【００３８】
このように本実施形態によれば、左右一対の固定刃７，９を切り込み方向に固定して、また左右一対の可動刃８，１０を上記切り込み方向に進退可能にそれぞれ設け、さらに該左右の固定刃７，９及び左右の可動刃８，１０を切り込み時位置と引き裂き時位置との間で開閉可能に設けたので、ドロップケーブル３０を上記固定刃７，９上に配置して上記左右のハンドル２，３を揺動させると、まず上記可動刃７，９と固定刃８，１０とが上記規制値となるまで上記樹脂層３７ｂに切り込み、続いて左右固定刃７，９，左右可動刃８，１０が互いに拡開して上記樹脂層３７ｂを引き裂くこととなる。
【００３９】
このように簡単な操作により確実にドロップケーブル３０の樹脂層３７ｂを引き裂いて光ファイバ３６を露出させることができ、該ドロップケーブル３０の端末処理作業を容易確実に行なうことができる。
【００４０】
また本実施形態では、左，右ハンドル２，３と左右可動刃８，１０とを左，右リンクプレート１１，１２で連結するという簡単な構成により、また該左，右ハンドル２，３を開閉するだけの簡単な操作により、左，右可動刃８，１０を固定刃７，９に対して切り込み方向に進退させることができる。
【００４１】
さらにまた本実施形態では、左，右ハンドル２，３と同一揺動中心６を有する左，右セパレータ本体４，５を設け、これに上記左右固定刃７，９を固定し、左右可動刃８，１０を切り込み方向に案内するとともに該左右可動刃８，１０の切り込み位置を規制するガイド部４ｅ，５ｅを設け、また左，右可動刃８，１０の移動を案内するガイド板１４，１４を設けたので、上記左右ハンドル２，３を閉じるに伴い、上記可動刃８，１０と固定刃７，９とが上記規制値Ａとなるまで上記樹脂層３７ｂに切り込み、さらに左右の固定刃７，９，可動刃８，１０が互いに拡開し、もって上記樹脂層３７ｂを引き裂くことができる。
【００４２】
また左右セパレータ本体４，５を全開状態に保持したままで左右ハンドル２，３を所定角度だけ閉じ方向に戻すことにより可動刃８，１０を後退可能とする保持機構１５を設けたので、上記樹脂層３７ｂを引き裂いた後、固定刃７，９、可動刃８，１０を樹脂層３７ｂから容易確実に外すことができ、ドロップケーブル３０における光ファイバ３６の露出作業における作業性を確保できる。
【００４３】
なお、上記実施形態では、引き裂き用のカット溝３８ｂが形成されているドロップケーブルの場合を例に説明したが、本発に係るドロップセパレータはカット溝を備えていない、例えは図１７に示すようなドロップケーブル３３であっても、しかも任意の位置から引き裂くことが可能である。この場合には、図１８に示すような案内ダイス２０を上記ガイド孔ａと同軸をなすように配置することが望ましい。この案内ダイス２０は、左，右一対のダイス片２０ａ，２０ｂをガイドレール２０ｃ上にスライド可能にかつ任意の位置で固定できるように配設したものである。上記左，右ダイス片２０ａ，２０ｂを上記ドロップケーブル３３に合わせた間隔に固定し、この左，右ダイス２０ａ，２０ｂとレール２０ｃとのユニットを希望の切り裂き位置に対応させて上記ドロップセパレータ１に取り付ければよい。
【図面の簡単な説明】
【００４４】
【図１】本発明の一実施形態によるドロップセパレータの正面図である。
【図２】上記ドロップセパレータの側面図である。
【図３】上記ドロップセパレータの要部の断面正面図である。
【図４】上記ドロップセパレータの左セパレータ本体の正面図である。
【図５】上記左セパレータ本体の側面図である。
【図６】上記左セパレータ本体の平面図である。
【図７】上記ドロップセパレータの右セパレータ本体の正面図である。
【図８】上記右セパレータ本体の側面図である。
【図９】上記右セパレータ本体の平面図である。
【図１０】上記ドロップセパレータの動作を説明するための拡大図である。
【図１１】上記ドロップセパレータの動作を説明するための拡大図である。
【図１２】上記ドロップセパレータの動作を説明するための拡大図である。
【図１３】上記ドロップセパレータの動作説明図である。
【図１４】上記ドロップセパレータの動作説明図である。
【図１５】ドロップケーブルの断面図である。
【図１６】ドロップケーブルの引き裂き状態を示す斜視図である。
【図１７】ドロップケーブルの変形例を示す断面図である。
【図１８】上記変形ドロップケーブル用治具を示す斜視図である。
【符号の説明】
【００４５】
１  ドロップセパレータ（引き裂き工具）
２，３  左，右ハンドル
４，５  左，右セパレータ本体
４ｅ，５ｅ  ガイド部
６  枢支軸（揺動中心）
７，９  左，右固定刃
８，１０  左，右可動刃
１１，１２  左，右リンクプレート（リンク）
１５  保持機構
３０  ドロップケーブル
３６  光ファイバ（芯線）
３７ａ  樹脂層（保護層）
Ａ  規制値
【図１】
2005181704.tif 000003
【図２】
2005181704.tif 000004
【図３】
2005181704.tif 000005
【図４】
2005181704.tif 000006
【図５】
2005181704.tif 000007
【図６】
2005181704.tif 000008
【図７】
2005181704.tif 000009
【図８】
2005181704.tif 000010
【図９】
2005181704.tif 000011
【図１０】
2005181704.tif 000012
【図１１】
2005181704.tif 000013
【図１２】
2005181704.tif 000014
【図１３】
2005181704.tif 000015
【図１４】
2005181704.tif 000016
【図１５】
2005181704.tif 000017
【図１６】
2005181704.tif 000018
【図１７】
2005181704.tif 000019
【図１８】
2005181704.tif 000020